【手続補正書】
【提出日】平成17年10月6日(2005.10.6)
【手続補正１】
【補正対象書類名】明細書
【補正対象項目名】全文
【補正方法】変更
【補正の内容】
【書類名】      明細書
【発明の名称】  撮像機器のフラッシュライト調光方法及び装置
【特許請求の範囲】
【請求項１】
撮影レンズを通して結像した被写体の像を撮影するための撮像手段と被写体を照明する照明手段とを備える撮像機器を制御し、
撮影に先立って前記照明手段を発光させるとともに、被写体からの反射光を直接検出する第１のセンサで得られる第１の受光量と、前記撮影レンズを通った被写体からの光を検出する第２のセンサで得られる第２の受光量とを測定し、
前記第１の受光量に基づいて撮影時の前記照明手段の発光量を制御し、前記第２の受光量に基づいて演算された撮影時の発光量の補正量を決定し、
前記撮像手段で被写体の像を撮影する際には、制御された受光量と前記補正量とに基づいて前記第１のセンサの受光量レベルを制御することによって前記照明手段の発光量を制御する
ことを特徴とする撮像機器のフラッシュライト調光方法。
【請求項２】
撮影レンズを通して結像した被写体の像を撮影するための撮像手段と、
被写体を照明する照明手段と、
被写体からの照明光の反射光を直接受光する第１の光電変換手段と、
前記撮像手段の前面に配置され、撮影時には退避可能な拡散反射板と、
前記第１の光電変換手段で検出した受光量に従って、前記照明手段の発光量を制御する照明制御手段と、
撮影に先立って前記照明手段の予備発光を前記照明制御手段の制御のもとに行い、前記撮影レンズ及び前記拡散反射板を介して予備発光の受光量を検出する第２の光電変換手段と、
前記撮像手段で被写体の像を撮影する際には、前記照明制御手段が制御する前記照明手段の発光量を、前記第２の光電変換手段が検出した予備発光の受光量に基づいて補正する発光量補正手段と
を設けたことを特徴とする撮像機器のフラッシュライト調光装置。
【請求項３】
請求項２記載の撮像機器のフラッシュライト調光装置において、予備発光の際には、前記照明制御手段が前記第１の光電変換手段の受光量に対する検出感度を予め定めた係数に従って高く定め、前記撮像手段で被写体の像を撮影する際には、前記発光量補正手段が前記係数を考慮して前記照明手段の発光量を補正することを特徴とする撮像機器のフラッシュライト調光装置。
【請求項４】
請求項２記載の撮像機器のフラッシュライト調光装置において、前記第２の光電変換手段の受光量の光量蓄積に要した受光時間と同じ期間に渡り、前記照明手段が消灯している間の前記第２の光電変換手段の受光量を定常光受光量として検出する定常光の受光量検出手段を設けるとともに、前記発光量補正手段が予備発光時の前記第２の光電変換手段の受光量と前記定常光受光量との差分に基づいて前記照明手段の発光量を補正することを特徴とする撮像機器のフラッシュライト調光装置。
【請求項５】
請求項２記載の撮像機器のフラッシュライト調光装置において、前記撮像手段の受光面の受光及び遮光を制御するシャッター幕を前記拡散反射板として設けたことを特徴とする撮像機器のフラッシュライト調光装置。
【請求項６】
撮影レンズを通して結像した被写体の像を撮影するための撮像手段と被写体を照明する照明手段とを備える撮像機器を制御し、
撮影に先立って前記照明手段を発光させるとともに、第１のセンサで被写体からの反射光を直接検出して得られる第１の受光量と、第２のセンサで前記撮影レンズを通った被写体からの光を検出して得られる第２の受光量とを測定し、前記第１の受光量に基づいて前記照明手段の発光量を制御し、前記第２の受光量に基づいて補正量を決定し、
前記撮像手段で被写体の像を撮影する際には、前記第１のセンサで被写体からの反射光を直接検出して得られる受光量と前記補正量とに基づいて前記照明手段の発光量を制御する
ことを特徴とする撮像機器のフラッシュライト調光方法。
【発明の詳細な説明】
【０００１】
【発明の属する技術分野】
本発明は、一般的なカメラやディジタルスチルカメラのような撮像機器におけるフラッシュ撮影などに用いられる撮像機器のフラッシュライト調光方法及び装置に関する。
【０００２】
【従来の技術】
従来より、カメラのフラッシュ撮影においてはフラッシュライトの発光量を調光するためにフラッシュライト点灯時の被写体からの反射光の光量を測定している。
フラッシュライトの光量を制御する技術としては、外部調光方式とＴＴＬ調光方式とが知られている。外部調光方式においては、ＳＰＤ等の受光素子を用いて、被写体からの反射光を直接受光してフラッシュライトの光量を制御する。
【０００３】
また、ＴＴＬ調光方式においては、撮影用レンズを通り、さらに撮影用フィルム面で反射した被写体からの反射光を用いて発光量を制御している。
ＴＴＬ調光方式を用いてフラッシュライトの発光量を調光することにより、広範囲の画角の撮影レンズのあらゆる絞り値に対して、正確にフラッシュライトの発光量を制御できる。
【０００４】
【発明が解決しようとする課題】
撮影用フィルム面で反射した光を制御に利用するＴＴＬ調光技術をそのままディジタルスチルカメラに適用しようとする場合には、次のような問題が生じる。
ディジタルスチルカメラなどに用いられるＣＣＤセンサについては、その表面反射について何も考慮されていないので、ＣＣＤセンサの表面反射光には拡散成分がほとんど含まれていない。従って、ＣＣＤセンサからの表面反射光を用いることではＣＣＤセンサへの入射光量を正確に測定することはできない。
【０００５】
また、感光フィルムを用いるカメラにおいても、反射率が一般的なフィルムと大きく異なる特別なフィルムを用いる場合には、ＴＴＬ調光で正確な光量を制御することは困難である。
フィルム位置に近いシャッター幕面からの反射光を検出するＴＴＬ測光の技術は公知である。しかしながら、フラッシュライトの発光量の調整のために測光をする場合には、撮影のためにシャッター幕を開いておく必要があるため、シャッター幕面からの反射光を検出できない。
【０００６】
本発明は、ディジタルスチルカメラなどの撮像機器のフラッシュライトの発光量の調整に適したフラッシュライト調光方法及び装置を提供することを目的とする。
【０００７】
【課題を解決するための手段】
請求項１の撮像機器のフラッシュライト調光方法は、撮影レンズを通して結像した被写体の像を撮影するための撮像手段と被写体を照明する照明手段とを備える撮像機器を制御し、撮影に先立って前記照明手段を発光させるとともに、被写体からの反射光を直接検出する第１のセンサで得られる第１の受光量と、前記撮影レンズを通った被写体からの光を検出する第２のセンサで得られる第２の受光量とを測定し、前記第１の受光量に基づいて撮影時の前記照明手段の発光量を制御し、前記第２の受光量に基づいて演算された撮影時の発光量の補正量を決定し、前記撮像手段で被写体の像を撮影する際には、制御された受光量と前記補正量とに基づいて前記第１のセンサの受光量レベルを制御することによって前記照明手段の発光量を制御することを特徴とする。
【０００８】
請求項２の撮像機器のフラッシュライト調光装置は、撮影レンズを通して結像した被写体の像を撮影するための撮像手段と、被写体を照明する照明手段と、  被写体からの照明光の反射光を直接受光する第１の光電変換手段と、前記撮像手段の前面に配置され、撮影時には退避可能な拡散反射板と、前記第１の光電変換手段で検出した受光量に従って、前記照明手段の発光量を制御する照明制御手段と、撮影に先立って前記照明手段の予備発光を前記照明制御手段の制御のもとに行い、前記撮影レンズ及び前記拡散反射板を介して予備発光の受光量を検出する第２の光電変換手段と、前記撮像手段で被写体の像を撮影する際には、前記照明制御手段が制御する前記照明手段の発光量を、前記第２の光電変換手段が検出した予備発光の受光量に基づいて補正する発光量補正手段とを設けたことを特徴とする。
【０００９】
請求項３は、請求項２記載の撮像機器のフラッシュライト調光装置において、予備発光の際には、前記照明制御手段が前記第１の光電変換手段の受光量に対する検出感度を予め定めた係数に従って高く定め、前記撮像手段で被写体の像を撮影する際には、前記発光量補正手段が前記係数を考慮して前記照明手段の発光量を補正することを特徴とする。
【００１０】
請求項４は、請求項２記載の撮像機器のフラッシュライト調光装置において、前記第２の光電変換手段の受光量の光量蓄積に要した受光時間と同じ期間に渡り、前記照明手段が消灯している間の前記第２の光電変換手段の受光量を定常光受光量として検出する定常光の受光量検出手段を設けるとともに、前記発光量補正手段が予備発光時の前記第２の光電変換手段の受光量と前記定常光受光量との差分に基づいて前記照明手段の発光量を補正することを特徴とする。
【００１１】
請求項５は、請求項２記載の撮像機器のフラッシュライト調光装置において、前記撮像手段の受光面の受光及び遮光を制御するシャッター幕を前記拡散反射板として設けたことを特徴とする。
請求項６の撮像機器のフラッシュライト調光方法は、撮影レンズを通して結像した被写体の像を撮影するための撮像手段と被写体を照明する照明手段とを備える撮像機器を制御し、撮影に先立って前記照明手段を発光させるとともに、第１のセンサで被写体からの反射光を直接検出して得られる第１の受光量と、第２のセンサで前記撮影レンズを通った被写体からの光を検出して得られる第２の受光量とを測定し、前記第１の受光量に基づいて前記照明手段の発光量を制御し、前記第２の受光量に基づいて補正量を決定し、前記撮像手段で被写体の像を撮影する際には、前記第１のセンサで被写体からの反射光を直接検出して得られる受光量と前記補正量とに基づいて前記照明手段の発光量を制御することを特徴とする。
【００１２】
（作用）
請求項１の方法においては、撮影に先立って照明手段の予備発光を行うとともに、第１のセンサによって被写体からの反射光を直接検出して得られる第１の受光量を測定し、第２のセンサによって撮影レンズを通った被写体からの光を第２の受光量として測定する。第２のセンサは、例えば撮影レンズと撮像手段との間に配置される。
【００１３】
予備発光時に測定された前記第１の受光量に基づいて、撮影時に必要とされる前記照明手段の発光量を推定できる。しかし、前記照明手段の発光量が一定であっても、実際に撮像手段に入射する光量は絞りなどによって変化する。そこで、第２のセンサで測定した第２の受光量に基づいて、撮影時に必要とされる発光量の補正量を決定する。
【００１４】
そして、撮像手段で被写体の像を撮影する際には、演算された受光量と前記補正量とに基づいて、前記第１のセンサの受光量レベルが適正になるように前記照明手段の発光量を制御する。
予備発光を行う時には、シャッター幕は閉じておきシャッター幕からの反射光を検出すれば良い。また、予め定めた光反射特性になるように予めシャッター幕を加工しておけば、予備発光時に検出される第２の受光量から、撮影時に撮像手段に入射する光量の補正量を求めることができる。勿論、シャッター幕以外の反射部材を利用しても良い。
【００１５】
撮影時には、第２の受光量に基づいて予め決定された補正量に従って照明手段の発光量が補正される。
撮影時に撮像手段に入射する光量の補正レベルを第２の受光量に基づいて求めることが可能なので、撮影時には第２のセンサで受光量を検出する必要はない。従って、撮像手段として個体撮像素子などを用いる場合であっても、撮影時には前記補正量に基づいてフラッシュライトなどの照明を適切に調光できる。
【００１６】
請求項２の装置は次のように動作する。撮像手段は、撮影レンズを通して結像した被写体の像を撮影する。照明手段は被写体を照明する。第１の光電変換手段は、照明手段で照明された被写体からの反射光を直接受光する。撮像手段の前面に配置された拡散反射板は撮影時には退避する。
第２の光電変換手段は、撮影に先立って前記照明手段の予備発光を前記照明制御手段の制御のもとに行い、前記撮影レンズ及び前記拡散反射板を介して予備発光の受光量を検出する。
【００１７】
発光量補正手段は、前記撮像手段で被写体の像を撮影する際には、前記照明制御手段が制御する前記照明手段の発光量を、前記第２の光電変換手段が検出した予備発光の受光量に基づいて補正する。
予備発光を行う時には、シャッター幕は閉じておきシャッター幕からの反射光を検出する。従って、予め定めた光反射率になるように予めシャッター幕を加工しておけば、撮影時に撮像手段に入射する光量の補正レベルを、予備発光時に検出される予備発光時の受光量から求めることができる。勿論、シャッター幕以外の反射部材を利用しても良い。
【００１８】
撮影時には、予備発光時の受光量に基づいて予め決定された補正量に従って照明手段の発光量が制御される。
撮影時に撮像手段に入射する光量の補正レベルを予備発光時の第２の光電変換手段の受光量に基づいて予測できるため、撮像手段として個体撮像素子などを用いる場合であっても、撮影時には受光量と補正量とに基づいてフラッシュライトなどの照明を適切に調光できる。
【００１９】
請求項３の装置においては、予備発光の際に照明制御手段が第１の光電変換手段の受光量に対する検出感度を高くするので、予備発光の光量が撮影時に比べて抑制される。従って、予備発光による電力消費が抑制される。このため、電源の再充電を要することなく予備発光から本発光に移行できる。
撮像手段で被写体の像を撮影する際には、発光量補正手段が予備発光時の係数を考慮して照明手段の発光量を補正するので、撮影に必要な照明の光量が得られる。
【００２０】
請求項４の装置においては、定常受光量検出手段が、予備発光時の第２の光電変換手段の受光量の光量蓄積に要した受光時間と同じ期間に渡り、照明手段が消灯している間の第２の光電変換手段の受光量を定常光受光量として検出する。また、発光量補正手段は、予備発光時の第２の光電変換手段の受光量と前記定常光受光量との差分に基づいて照明手段の発光量を補正する。
【００２１】
予備発光時の第２の光電変換手段の受光量は、被写体からの定常光の成分と照明手段の発光による成分とを含んでいる。従って、予備発光時の第２の光電変換手段の受光量だけに基づいて照明手段の発光量を補正する場合には、定常光の成分の大小に応じて撮影時の照明手段の発光量にばらつきが生じる。
請求項４によれば、予備発光時の受光量と定常光受光量との差分に基づいて照明手段の発光量を補正するので、撮影時の照明手段の発光量のばらつきが抑制される。
【００２２】
請求項５においては、シャッター幕が撮像手段の受光面の受光及び遮光を制御するので、撮像手段に入射する光量の制御が容易になる。また、シャッター幕と拡散反射板とを共用するので、撮像機器の構造の簡略化に役立つ。
請求項６の方法においては、撮影に先立って照明手段の予備発光を行うとともに、第１のセンサにより被写体からの反射光を直接検出して得られる第１の受光量と、第２のセンサにより前記撮影レンズを通った被写体からの光を検出して得られる第２の受光量とを測定する。
【００２３】
そして、予備発光時の前記照明手段の発光量を検出された前記第１の受光量により制御する。第２の受光量を検出する第２のセンサは、例えば撮影レンズと撮像手段との間に配置される。
従って、前記照明手段が所定の発光量になるときに撮像手段に入射する光量と対応する値が第２の受光量として検出される。そこで、検出された第２の受光量に基づいて補正量を決定する。
【００２４】
撮像手段によって被写体の像を撮影する際には、前記第１のセンサにより被写体からの反射光を直接検出して得られる受光量と前記補正量とに基づいて照明手段の発光量を制御する。
撮影時に撮像手段に入射する光量の補正レベルを第２の受光量に基づいて求めることが可能なので、撮像手段として個体撮像素子などを用いる場合であっても、撮影時には前記第２のセンサを用いる必要はなく、第１のセンサが検出した受光量と前記補正量とに基づいてフラッシュライトなどの照明を適切に調光できる。
【００２５】
【発明の実施の形態】
（第１の実施の形態）
本発明の撮像機器のフラッシュライト調光方法及び装置をディジタルスチルカメラに適用する場合の形態について、図１〜図３を参照して説明する。この形態は全ての請求項に対応する。
【００２６】
図１は、この形態のディジタルスチルカメラの主要部の構成を示すブロック図である。図２は、図１のディジタルスチルカメラの電装系主要部の構成を示すブロック図である。図３は、図１のディジタルスチルカメラの制御系の動作の一部分を示すフローチャートである。
この形態では、請求項２の撮像手段，照明手段，第１の光電変換手段，拡散反射板，第２の光電変換手段，照明制御手段及び発光量補正手段は、それぞれＣＣＤセンサ５４，フラッシュランプ１５，第１受光素子１０，シャッター幕５３，第２受光素子２０，調光制御ユニット４０及び主制御ユニット３０に対応する。
【００２７】
また、請求項４の定常光受光量検出手段は、主制御ユニット３０（Ｓ１８〜Ｓ２１）に対応する。
図１に示すディジタルスチルカメラは、カメラボディ１００と外付けフラッシュ２００とで構成されている。勿論、カメラボディとフラッシュとを一体に構成する場合でも本発明は実施できる。
【００２８】
カメラボディ１００の内部には、撮影レンズ５１，絞り５２，シャッター幕５３，ＣＣＤセンサ５４，クイックリターンミラー５５，スクリーン５６，ペンタプリズム５７，接眼レンズ５８，第２受光素子２０及び主制御ユニット３０が備わっている。
ＣＣＤセンサ５４は二次元固体撮像素子である。外付けフラッシュ２００の内部には、フラッシュランプ１５，第１受光素子１０及び調光制御ユニット４０が備わっている。第１受光素子１０及び第２受光素子２０は、入射光量に応じた電荷を生成する。
【００２９】
クイックリターンミラー５５は通常図１に仮想線で示すように４５度傾いた位置に配置される。この場合、撮影レンズ５１及び絞り５２を介してカメラボディ１００に入射する被写体からの光は、クイックリターンミラー５５で反射する。
すなわち、入射光はクイックリターンミラー５５，スクリーン５６，ペンタプリズム５７及び接眼レンズ５８を通って結像される。従って、ユーザはファインダーを覗くことにより、撮影対象の被写体の像を観察できる。
【００３０】
撮影シーケンスに入ると、クイックリターンミラー５５は実線で示す位置に待避する。この場合、被写体からの入射光は撮影レンズ５１及び絞り５２を介してシャッター幕５３に向かう。
また、シャッター幕５３が閉じている場合には被写体からの入射光はシャッター幕５３の表面で反射し、ＣＣＤセンサ５４には入射しない。この反射光の一部分が第２受光素子２０に入射する。シャッター幕５３が開いている場合には、入射光はＣＣＤセンサ５４に入射する。
【００３１】
ＣＣＤセンサ５４は、それの入射面に結像される二次元画像を撮影するためのエリアセンサである。ＣＣＤセンサ５４はＣＣＤなどの半導体集積回路で構成されている。
調光制御ユニット４０は、フラッシュランプ１５の発光開始／発光停止を制御する。第１受光素子１０は、撮影レンズ５１を通らずに被写体から直接入射する光を検出する。第１受光素子１０が検出した光量に応じた電気信号を調光制御ユニット４０に出力する。
【００３２】
第２受光素子２０は、撮影レンズ５１を通過しシャッター幕５３で反射された被写体から入射する光を検出する。第２受光素子２０が検出した光量に応じた電気信号を主制御ユニット３０に出力する。
主制御ユニット３０は、フラッシュランプ１５の光量の補正値の決定や点灯の指示等を行い調光制御ユニット４０を制御する。
【００３３】
図２に示すように、主制御ユニット３０は増幅器２１，積分器２２，Ａ／Ｄ変換器２３，Ｄ／Ａ変換器２５及びマイクロコンピュータ２４で構成されている。第２受光素子２０に入射した光は、第２受光素子２０で電流に変換されて増幅器２１に入力される。増幅器２１の出力は、積分器２２で積分される。
積分器２２はアナログ積分器である。マイクロコンピュータ２４は、積分器２２に対して積分動作の開始，停止，積分値のクリアなどの制御を実施する。
【００３４】
積分器２２の積分値に相当する電圧が、Ａ／Ｄ変換器２３に印加される。マイクロコンピュータ２４は、Ａ／Ｄ変換器２３を介して、積分器２２の積分値、すなわち第２受光素子２０の受光光量を検出する。
図２に示すように、調光制御ユニット４０は増幅器１１，積分器１２，比較器１３及びフラッシュライト制御回路１４で構成されている。第１受光素子１０に入射した光は第１受光素子１０で電流に変換され増幅器１１に入力される。増幅器１１の出力が積分器１２で積分される。
【００３５】
増幅器１１の増幅度は可変になっている。マイクロコンピュータ２４は、Ｄ／Ａ変換器２５を介して増幅器１１のゲイン制御を行う。
積分器１２はアナログ積分器である。主制御ユニット３０のマイクロコンピュータ２４は、積分器１２に対して積分動作の開始，停止，積分値のクリアなどの制御を実施する。
【００３６】
積分器１２は積分値に相当する電圧を出力する。この電圧が、比較器１３の一方の入力端子に印加される。比較器１３の他方の入力端子には予め定めた閾値電圧Ｖrefが常時印加される。
比較器１３はアナログ比較器である。比較器１３は積分器１２から入力される積分電圧と閾値電圧Ｖrefとを比較して、それらの大小関係を示す二値信号を発光停止信号として出力する。この発光停止信号が発光停止制御のためにフラッシュライト制御回路１４に印加される。
【００３７】
フラッシュライト制御回路１４は、マイクロコンピュータ２４からの制御信号と比較器１３からの信号とに従って、フラッシュランプ１５の発光の開始と停止を制御する。
図３に示す動作フローを参照して制御系の動作を説明する。図３は、ディジタルスチルカメラのレリーズボタン（図示せず）が押されたときの動作フローを示している。図３の各ステップは図２に示すマイクロコンピュータ２４によって制御される。
【００３８】
図３の各ステップの動作について、以下に説明する。
ステップＳ１１では、クイックリターンミラー５５を図１に実線で示す位置に位置決めするとともに、予め決定された絞り値に従って絞り５２の状態を調整する。
ステップＳ１２では、増幅器１１のゲイン（増幅度）Ｇを決定する。ここでは、予め定めた基準ゲインＧ０に定数Ｋを掛けた結果をゲインＧに定める。また、ゲインＧに対応する制御信号を、マイクロコンピュータ２４から増幅器１１に印加する。
【００３９】
第１受光素子１０が検出する受光強度に対する調光制御ユニット４０の検出感度を調整するために、増幅器１１のゲインＧを調整する。定数Ｋは、撮影時の基準ゲインＧ０に対して、予備発光時の感度を上げるために大きな値に定めてある。
【００４０】
フラッシュランプ１５の発光期間は、発光を開始してから積分器１２の出力する積分電圧が閾値電圧Ｖrefと等しくなるまでの期間なので、増幅器１１のゲインＧを大きくすると、フラッシュランプ１５の点灯期間が短くなる。つまり、発光光量及び消費電力が抑制される。
フラッシュ回路に充電された電荷を予備発光時に大量に消費すると、撮影時に発光ができなくなるので、予備発光時の消費電力をできるだけ抑制する必要がある。そこで、フラッシュランプ１５の予備発光時の発光量は撮影時よりも小さくしてある。
【００４１】
ステップＳ１３では、マイクロコンピュータ２４から積分器２２に制御信号を印加して、積分器２２の積分値をクリアした後、積分器２２の積分動作を再開する。
ステップＳ１４では、マイクロコンピュータ２４から積分器１２に制御信号を印加して、積分器１２の積分値をクリアした後、積分器１２の積分動作を再開する。また、マイクロコンピュータ２４からフラッシュライト制御回路１４に印加する制御信号により、フラッシュランプ１５の予備発光を開始する。
【００４２】
ステップＳ１５では、フラッシュランプ１５の発光開始時からの経過時間を予め定めた時間Ｔ１と比較する。時間Ｔ１は定数である。この時間Ｔ１は、撮影時の発光に必要な電力を確保するためにフラッシュランプ１５の最長点灯時間よりも小さな値に定めてある。
フラッシュランプ１５を発光開始してから時間Ｔ１が経過するまでの間に、受光量が所定量に達して積分器１２の出力電圧が閾値電圧Ｖrefを超えれば、発光の停止を指示する信号が比較器１３からフラッシュライト制御回路１４に印加されるので、フラッシュランプ１５の発光が停止する。
【００４３】
被写体が近距離に存在する場合には、ステップＳ１５で時間Ｔ１が経過するのを待つ間に、フラッシュランプ１５の発光は終了する。時間Ｔ１が経過すると、ステップＳ１５からＳ１６に進む。
ステップＳ１６では、マイクロコンピュータ２４から積分器２２に制御信号を印加して、積分器２２の積分動作を停止する。なお、被写体が遠距離で受光量が所定量に達しない場合には強制的に時間Ｔ１でフラッシュランプ１５の発光を停止する。
【００４４】
ステップＳ１７では、マイクロコンピュータ２４からＡ／Ｄ変換器２３を制御して、積分器２２の出力している積分値を測光値Ｉｘとして読み取る。測光値Ｉｘは、ステップＳ１３〜Ｓ１６の間に第２受光素子２０が受光した光量に相当する。
測光値Ｉｘは時間Ｔ１の間のフラッシュランプ１５の予備発光による光量成分と定常光の成分とを含んでいる。定常光のみの成分を検出するために、続くステップＳ１８〜Ｓ２１を実行する。
【００４５】
ステップＳ１８では、マイクロコンピュータ２４から積分器２２に制御信号を印加して、積分器２２の積分値をクリアした後、積分器２２の積分動作を再開する。
ステップＳ１９では、積分器２２の積分動作を再開してからの経過時間を時間Ｔ１と比較する。時間Ｔ１が経過すると、次のステップＳ２０に進む。
【００４６】
ステップＳ２０では、マイクロコンピュータ２４から積分器２２に制御信号を印加して、積分器２２の積分動作を停止する。
ステップＳ２１では、マイクロコンピュータ２４からＡ／Ｄ変換器２３を制御して、積分器２２の出力している積分電圧を測光値Ｉｘｎとして読み取る。測光値Ｉｘｎは、時間Ｔ１の間に第２受光素子２０が検出した定常光の光量に相当する。
【００４７】
ステップＳ２２では、次式に基づいて調光補正量Ｈを決定する。
Ｈ＝Ｉｏ／(Ｋ・(Ｉｘ−Ｉｘｎ))    ・・・・（１）
Ｉｏ：標準反射率の被写体を想定して決定された基準レベル
上記第(1)式においては、予備発光時に検出した測光値Ｉｘから照明のない環境で検出した測光値Ｉｘｎを差し引くことで、定常光の成分を除去し、フラッシュランプ１５の発光による受光光量成分だけを抽出している。
【００４８】
ステップＳ２３では、ステップＳ２２で求めた調光補正量Ｈを用いて、増幅器１１のゲインＧを決定する。予め定めた基準ゲインＧ０に調光補正量Ｈを掛けた結果をゲインＧとして増幅器１１に与える。また、ゲインＧに対応する制御信号をマイクロコンピュータ２４から増幅器１１に印加する。
ステップＳ２４では、マイクロコンピュータ２４から図示しないシャッター制御回路を制御して、シャッター幕５３を開放する。これにより、撮影レンズ５１及び絞り５２を通った被写体からの入射光がＣＣＤセンサ５４に入射するので、ＣＣＤセンサ５４を動作させて被写体の撮影を実行する。
【００４９】
ステップＳ２５では、マイクロコンピュータ２４から積分器１２に制御信号を印加して、積分器１２の積分値をクリアした後、積分器１２の積分動作を再開する。
ステップＳ２６では、マイクロコンピュータ２４からフラッシュライト制御回路１４に印加する制御信号により、フラッシュランプ１５の発光を指示する。そして、フラッシュランプ１５での発光量が適正値になると、積分器１２の出力がＶrefと等しくなり、発光の停止を指示する信号が比較器１３からフラッシュライト制御回路１４に入力されるので、フラッシュランプ１５の発光が停止する。
【００５０】
ステップＳ２７ではシャッター幕５３を閉じ、ＣＣＤセンサ５４に入射する光を遮光する。これによりフラッシュライト撮影動作が終了する。
（第２の実施の形態）
この形態は、第１の実施の形態の変形例である。主制御ユニット３０及び調光制御ユニット４０の構成が図４のように変更され、マイクロコンピュータ２４の動作が多少変更された他は第１の実施の形態と同一である。変更された部分について説明する。
【００５１】
この形態では、第１の実施の形態における増幅器１１のゲイン制御の代わりに、比較器１３に印加する閾値電圧Ｖrefを制御してフラッシュランプ１５の発光光量を調整する。
閾値電圧Ｖrefを制御するために、主制御ユニット３０にＤ／Ａ変換器２５を設けてある。Ｄ／Ａ変換器２５が出力する電圧が比較器１３に印加される。従って、マイクロコンピュータ２４の制御により閾値電圧Ｖrefを変えることができる。
【００５２】
この形態では、マイクロコンピュータ２４は、図３に示すステップＳ１２，Ｓ２３のゲイン制御の代わりにＤ／Ａ変換器２５が出力する閾値電圧Ｖrefを制御する。この制御により、第１の実施の形態と同様にフラッシュランプ１５の発光光量が制御される。
（第３の実施の形態）
この形態は、第１の実施の形態の変形例である。主制御ユニット３０及び調光制御ユニット４０の構成が図５のように変更され、マイクロコンピュータ２４の動作が図６のように変更された他は第１の実施の形態と同一である。変更された部分について説明する。
【００５３】
この形態では、図５に示すように比較器１３の出力端子がマイクロコンピュータ２４と接続されている。従って、マイクロコンピュータ２４は比較器１３の出力する二値信号を監視してフラッシュランプ１５の発光が停止したタイミングを認識できる。
図６を参照してこの形態の動作フローを説明する。
【００５４】
図６に示すステップＳ１５Ｂでは、マイクロコンピュータ２４は比較器１３の出力する信号を監視してフラッシュランプ１５の発光が停止するまで待機する。
ステップＳ１６Ｂでは、積分器２２の積分動作を停止すると同時に、ステップＳ１４を実行したときの時刻とステップＳ１６Ｂを実行したときの時刻との差を予備発光時間Ｔ２として検出する。
【００５５】
また、予備発光と同じ時間の定常光の成分を検出するために、ステップＳ１９Ｂでは時間Ｔ２が経過するまで待機する。
この形態では、予備発光時に第２受光素子２０の受光光量を検出するための積分時間が短縮される。従って、レリーズボタンが押されてから実際に撮影動作を行うまでの待ち時間を短くすることが可能である。
【００５６】
（第４の実施の形態）
この形態は、第１の実施の形態の変形例である。この形態では、図７に示すように光学的なファインダーの構成要素は廃止されている。その代わりに、撮影対象の像を電子的に観察するための液晶モニタ６０を搭載している。マイクロコンピュータ２４の動作は、図８のように変更されている。
【００５７】
液晶モニタ６０には、ＣＣＤセンサ５４で検出した二次元画像が表示される。また、ＣＣＤセンサ５４を電子ファインダーの構成要素として利用するために、シャッター幕５３の開閉のタイミングが変更されている。
すなわち、図８に示すように、電源が投入されるとステップＳ０８でシャッター幕５３が開放される。また、レリーズボタンの全押しにより撮影を実施する際には、ステップＳ１０でシャッター幕５３が閉じる。それから撮影直前にステップＳ２４でシャッター幕５３が開くまでの間だけシャッター幕５３が閉じている。
【００５８】
シャッター幕５３が閉じている間は、液晶モニタ６０で撮影対象の像をモニタできない。従って、この形態のように、第２受光素子２０で受光光量の検出を行うときだけシャッター幕５３を閉じるのが望ましい。
（第５の実施の形態）
この形態は、第１の実施の形態の変形例である。この形態のディジタルスチルカメラは、図９に示すように第１の実施の形態の光学的なファインダー及び第４の実施の形態の電子ファインダーを共に搭載している。それ以外の構成及び動作は第１の実施の形態と同一である。
【００５９】
この形態では、光学的なファインダーと電子ファインダーとをユーザが必要に応じて使い分けることができる。
なお、上記各実施の形態においては、第２受光素子２０がシャッター幕５３からの反射光を検出する場合について説明した。しかし、シャッター幕５３以外の反射部材からの光を第２受光素子２０で受光しても良い。例えば、透明な状態と入射光を拡散反射する状態とに電気的な制御で切り替わる拡散型液晶装置をシャッター幕５３の代わりに用いることができる。
【００６０】
また、上記各実施の形態においては、本発明をディジタルスチルカメラに適用する場合について説明しているが、感光フィルムを用いるカメラや、カメラとディジタルスチルカメラとを一体化した複合撮像機器に本発明を適用することも可能である。
また、上記いずれの実施の形態においても、カメラボディ１００と外付けフラッシュ２００とを一体に構成しても同様に本発明を実施できる。
【００６１】
【発明の効果】
（請求項１）
予備発光時に検出した第２の受光量に基づいて撮影時に撮像手段に入射する光量のレベルを予測できるため、撮像手段として個体撮像素子などを用いる場合であっても、撮影時には第１の受光量と補正量とに基づいてフラッシュライトなどの照明を適切に調光できる。
【００６２】
（請求項２）
予備発光時に検出した第２の受光量に基づいて撮影時に撮像手段に入射する光量のレベルを予測できるため、撮像手段として個体撮像素子などを用いる場合であっても、撮影時には第１の受光量と補正量とに基づいてフラッシュライトなどの照明を適切に調光できる。
【００６３】
（請求項３）
予備発光の光量が撮影時に比べて抑制されるため、予備発光による電力消費が抑制される。従って、電源の再充電を要することなく予備発光から本発光に移行できる。
（請求項４）
ＴＴＬ予備受光量とＴＴＬ定常受光量との差分に基づいて照明手段の発光量を補正するので、撮影時の照明手段の発光量のばらつきが抑制される。
【００６４】
（請求項５）
撮像手段に入射する光量の制御が容易になる。また、シャッター幕と拡散反射板とを共用するので、撮像機器の構造の簡略化に役立つ。
（請求項６）
予備発光時に検出した第２の受光量に基づいて撮影時に撮像手段に入射する光量のレベルを予測できるため、撮像手段として個体撮像素子などを用いる場合であっても、撮影時には第１の受光量と補正量とに基づいてフラッシュライトなどの照明を適切に調光できる。
【図面の簡単な説明】
【図１】
第１の実施の形態のディジタルスチルカメラの主要部の構成を示すブロック図である。
【図２】
図１のディジタルスチルカメラの電装系主要部の構成を示すブロック図である。
【図３】
図１のディジタルスチルカメラの制御系の動作の一部分を示すフローチャートである。
【図４】
第２の実施の形態における主制御ユニット及び調光制御ユニットの構成を示すブロック図である。
【図５】
第３の実施の形態における主制御ユニット及び調光制御ユニットの構成を示すブロック図である。
【図６】
第３の実施の形態におけるディジタルスチルカメラの制御系の動作の一部分を示すフローチャートである。
【図７】
第４の実施の形態のディジタルスチルカメラの主要部の構成を示すブロック図である。
【図８】
第４の実施の形態におけるディジタルスチルカメラの制御系の動作の一部分を示すフローチャートである。
【図９】
第５の実施の形態のディジタルスチルカメラの主要部の構成を示すブロック図である。
【符号の説明】
１０  第１受光素子
１１  増幅器
１２  積分器
１３  比較器
１４  フラッシュライト制御回路
１５  フラッシュランプ
２０  第２受光素子
２１  増幅器
２２  積分器
２３  Ａ／Ｄ変換器
２４  マイクロコンピュータ
２５  Ｄ／Ａ変換器
３０  主制御ユニット
４０  調光制御ユニット
５１  撮影レンズ
５２  絞り
５３  シャッター幕
５４  ＣＣＤセンサ
５５  クイックリターンミラー
５６  スクリーン
５７  ペンタプリズム
５８  接眼レンズ
６０  液晶モニタ
１００  カメラボディ
２００  外付けフラッシュ
【手続補正２】
【補正対象書類名】図面
【補正対象項目名】図２
【補正方法】変更
【補正の内容】
【図２】
2000155350.tif 000001
【手続補正３】
【補正対象書類名】図面
【補正対象項目名】図３
【補正方法】変更
【補正の内容】
【図３】
2000155350.tif 000002
【手続補正４】
【補正対象書類名】図面
【補正対象項目名】図４
【補正方法】変更
【補正の内容】
【図４】
2000155350.tif 000003
【手続補正５】
【補正対象書類名】図面
【補正対象項目名】図５
【補正方法】変更
【補正の内容】
【図５】
2000155350.tif 000004
【手続補正６】
【補正対象書類名】図面
【補正対象項目名】図６
【補正方法】変更
【補正の内容】
【図６】
2000155350.tif 000005
【手続補正７】
【補正対象書類名】図面
【補正対象項目名】図８
【補正方法】変更
【補正の内容】
【図８】
2000155350.tif 000006